(57)【要約】【課題】  長期間に渡り良好な色再現性を得られる高画質の有機エレクトロルミネッセンス装置を提供する。【解決手段】  本発明の有機エレクトロルミネッセンス装置は、有機エレクトロルミネッセンスパネル７０と、入力された画像信号を表示信号に変換して前記有機エレクトロルミネッセンスパネルに供給する画像処理部３１０と、前記有機エレクトロルミネッセンスパネル７０から出力された発光光の色度を測定する色センサ（測色手段）１８０とを備えており、前記画像処理部３１０が、前記色センサ１８０から出力される色度情報に基づき異なる表示信号を前記有機エレクトロルミネッセンスパネル７０に供給可能とされている。【選択図】    図７
2006098638.tif 000002
【特許請求の範囲】
【請求項１】
有機エレクトロルミネッセンスパネルと、入力された画像信号を表示信号に変換して前記有機エレクトロルミネッセンスパネルに供給する画像処理手段と、前記有機エレクトロルミネッセンスパネルから出力された発光光の色度を測定する測色手段とを備え、前記画像処理手段から前記有機エレクトロルミネッセンスパネルに供給される前記表示信号が、前記測色手段にて得られた色度情報に基づいて変更可能とされたことを特徴とする、有機エレクトロルミネッセンス装置。
【請求項２】
前記有機エレクトロルミネッセンスパネルの発光光の色度情報の基準値を保持する記憶手段と、前記記憶手段に保持された前記色度情報の基準値と前記測色手段から出力される前記色度情報とから色差情報を導出する色差導出手段とを備え、前記表示信号が、前記色差導出手段にて得られた前記色差情報に基づいて変更可能とされたことを特徴とする、請求項１記載の有機エレクトロルミネッセンス装置。
【請求項３】
前記色差導出手段にて導出される前記色差情報が、ＣＩＥＬＡＢ色空間における色差ΔＥａ＊ｂ＊であることを特徴とする、請求項２記載の有機エレクトロルミネッセンス装置。
【請求項４】
前記色差ΔＥａ＊ｂ＊の値が既定値以上であるときに、前記画像処理手段から出力される表示信号が変更されることを特徴とする、請求項３記載の有機エレクトロルミネッセンス装置。
【請求項５】
前記画像処理手段から前記有機エレクトロルミネッセンスパネルに供給される前記表示信号を補正する色補正手段を備えたことを特徴とする、請求項１〜４のいずれかの項に記載の有機エレクトロルミネッセンス装置。
【請求項６】
前記画像処理手段が、前記画像信号を前記表示信号に変換するカラー変換テーブルを備えており、前記色補正手段が、前記カラー変換テーブルを補正可能とされたことを特徴とする請求項５に記載の有機エレクトロルミネッセンス装置。
【請求項７】
前記記憶手段が、前記測色手段にて得られた前記色度情報を保持可能とされたことを特徴とする、請求項２〜６のいずれかの項に記載の有機エレクトロルミネッセンス装置。
【請求項８】
前記色補正手段と前記記憶手段とが連動して動作可能に構成され、前記色補正手段による補正処理が実行されたときの前記色度情報が、前記色度情報の基準値として前記記憶手段に記憶されることを特徴とする、請求項７記載の有機エレクトロルミネッセンス装置。
【請求項９】
前記測色手段が、前記有機エレクトロルミネッセンスパネルに形成された受光素子を含むことを特徴とする、請求項１〜８のいずれかの項に記載の有機エレクトロルミネッセンス装置。
【請求項１０】
前記有機エレクトロルミネッセンスパネルが、透光性の基板と、前記基板上に形成された発光素子とを有し、前記発光素子からの発光光を前記基板側から取り出すボトムエミッション型のパネルからなり、
前記受光素子が、前記発光素子と前記基板との間に配置され、前記発光素子からの発光光を直接受光可能に構成されていることを特徴とする、請求項９記載の有機エレクトロルミネッセンス装置。
【請求項１１】
前記受光素子が、前記発光素子の平面領域内に配置されていることを特徴とする、請求項１０記載の有機エレクトロルミネッセンス装置。
【請求項１２】
前記測色手段が、前記有機エレクトロルミネッセンスパネルの有効表示領域の外側に設けられていることを特徴とする、請求項９〜１１のいずれかの項に記載の有機エレクトロルミネッセンス装置。
【請求項１３】
前記測色手段が、前記有機エレクトロルミネッセンスパネルの発光光の色数に応じて設けられていることを特徴とする、請求項１２記載の有機エレクトロルミネッセンス装置。
【請求項１４】
前記有効表示領域の外側に複数の色領域が設けられており、各色領域毎に、同一の発光色を有する複数の発光素子と、前記複数の発光素子から出力された発光光の色度を測定する測色手段とが設けられていることを特徴とする、請求項１３記載の有機エレクトロルミネッセンス装置。
【請求項１５】
有機エレクトロルミネッセンスパネルと、入力された画像信号を表示信号に変換して前記有機エレクトロルミネッセンスパネルに供給する画像処理手段と、前記有機エレクトロルミネッセンスパネルから出力された発光光の色度を測定する測色手段とを備えた有機エレクトロルミネッセンス装置の色調整方法であって、
前記測色手段により測定した色度情報と、予め蓄積された前記発光光の色度情報の基準値とから色差情報を算出し、該算出結果に基づいて前記発光光の経時変化を検出するステップと、
前記経時変化が検出されたときに、前記画像処理手段から前記有機エレクトロルミネッセンスパネルに対して、前記色差情報に基づく補正信号処理を施された表示信号を出力するステップとを有することを特徴とする、有機エレクトロルミネッセンス装置の色調整方法。
【請求項１６】
請求項１〜１４のいずれかの項に記載の有機エレクトロルミネッセンス装置を備えたことを特徴とする、電子機器。
【発明の詳細な説明】
【技術分野】
【０００１】
本発明は、有機エレクトロルミネッセンス装置とその色調整方法、並びに電子機器に関するものである。
【背景技術】
【０００２】
有機エレクトロルミネッセンス装置（有機ＥＬ装置）をはじめとする表示装置の分野では、高画質化に対する要求が多く、例えば現在写真のデジタル化が進んでおり、それとともに、印刷せずに従来の写真と同様に鮮やかな画像を楽しめる表示装置の開発が望まれている。また画像の表示に際しては、有機ＥＬ装置における色再現性も重要であり、長期間にわたって安定した色再現性を維持することが望まれている。
ところが、有機エレクトロルミネッセンス素子等の電流駆動型発光素子においては、素子内を駆動電流が流れるため、大なり小なり経時劣化が存在する。例えば、有機ＥＬ装置の場合には、顕著な経時劣化が存在すると報告されている。有機エレクトロルミネッセンス素子の経時劣化は、２種類に大別される。一つは、有機エレクトロルミネッセンス素子に印加される電圧に対して電流が低下する劣化である。もう一つは、有機エレクトロルミネッセンス素子に印加される電圧あるいは有機エレクトロルミネッセンス素子を流れる電流に対して発光量が低下する劣化である。また、これらの経時劣化は、有機エレクトロルミネッセンス素子毎にバラツキをもって発生する。さらに、アクティブ駆動を行なう有機ＥＬ装置では、駆動素子としてのＴＦＴを流れる電流によりＴＦＴの経時劣化が発生することもある。このため、係る有機ＥＬ装置では、このような有機エレクトロルミネッセンス素子や駆動用ＴＦＴの経時劣化が生じたときに、画質劣化が問題となる。すなわち、電流量が低下する劣化や発光量が低下する劣化は、画面輝度の低下を招き、電流量の低下のバラツキや発光量の低下のバラツキは、画面ムラを生じさせる。特に、これらの劣化は、製造時における有機エレクトロルミネッセンス素子の発光特性、駆動用ＴＦＴの電圧電流特性や閾値特性のバラツキ、表示パターンの履歴等に依存するため、表示装置全体の画質劣化につながると同時に、画面ムラの原因となるのである。
このような問題に対する対策として、これまで様々な手段が提案されている。この点については、下記の特許文献１〜９を参照されたい。
【特許文献１】特開２００３−３１７９４４号公報
【特許文献２】特開平１０−３１９９１０号公報
【特許文献３】特開２００３−７６３３３号公報
【特許文献４】特開２００１−２３６０４０号公報
【特許文献５】特開２００１−１３９０４号公報
【特許文献６】特開２０００−１８７４６７号公報
【特許文献７】特開２００１−３５６５５号公報
【特許文献８】特開２０００−１２２５９８号公報
【特許文献９】特開平９−３０５１４６号公報
【発明の開示】
【発明が解決しようとする課題】
【０００３】
前述の特許文献１〜９は、いずれも何らかの検出回路を用いて輝度補正を行なうことを目的としている。その中で、特許文献１或いは特許文献３が光センサを用いて輝度補正を行なっている。一方、その他は、駆動電圧或いは駆動電流の変化を検出して輝度補正を行なうことを意図している。輝度補正は重要なファクターではあるが、ＲＧＢの画素の劣化は一様には進まないため、ＲＧＢそれぞれについて検出し、補正をかけることが必要である。ＲＧＢ別々の情報をもとに画像データの補正を進めることは、色度が変化してしまうので好ましくない。つまり、画質の面では、色度の変化が少なくなるように補正をかけることが望ましいが、この点について前記特許文献１〜９の技術はいずれも十分な考慮がなされたものとはなっていない。このため、長期間にわたって十分な色再現性を得ることができなかった。
本発明はこのような事情に鑑みてなされたものであって、その目的とするところは、長期間にわたり良好な色再現性が得られる高画質の有機ＥＬ装置とその色調整方法を提供することにある。また、このような高画質の表示が得られる表示部を備えた電子機器を提供することにある。
【課題を解決するための手段】
【０００４】
上記の課題を解決するため、本発明の有機エレクトロルミネッセンス装置は、有機エレクトロルミネッセンスパネルと、入力された画像信号を表示信号に変換して前記有機エレクトロルミネッセンスパネルに供給する画像処理手段と、前記有機エレクトロルミネッセンスパネルから出力された発光光の色度を測定する測色手段とを備え、前記画像処理手段から前記有機エレクトロルミネッセンスパネルに供給される前記表示信号が、前記測色手段にて得られた色度情報に基づいて変更可能とされたことを特徴とする。
この構成によれば、有機エレクトロルミネッセンスパネルに設けられた測色手段によって発光光の色度情報を容易に取得することができるので、得られた色度情報に基づいて発光光の色度の変化を検知することができる。そして、係る色度情報に基づき、前記画像処理手段から出力される表示信号を変更できるので、有機エレクトロルミネッセンスパネルの経時的な色度変化に対応して適切な表示状態を得られるようになり、長期間に渡り忠実な色再現性を得ることができる有機エレクトロルミネッセンス装置を提供することができる。
【０００５】
本発明の有機エレクトロルミネッセンス装置では、前記有機エレクトロルミネッセンスパネルの発光光の色度情報の基準値を保持する記憶手段と、前記記憶手段に保持された前記色度情報の基準値と前記測色手段から出力される前記色度情報とから色差情報を導出する色差導出手段とを備え、前記表示信号が、前記色差導出手段にて得られた前記色差情報に基づいて変更可能とされた構成とすることができる。
この構成によれば、前記測色手段にて得られた色度情報と、前記記憶手段に保持された基準となる色度情報とを用いた演算処理により色差情報を得て、係る色差情報に基づいて有機エレクトロルミネッセンスパネルに供給する表示信号を変更する構成となっているので、基準値に対する発光光の色度のずれを容易かつ高精度に得ることができ、係る色度のずれを補正可能な表示信号に変更することができる。したがって、本構成によれば、忠実な色再現性を安定に維持できる有機エレクトロルミネッセンス装置を提供することができる。色差導出手段にて導出される色差情報としては、ＣＩＥＬＡＢ色空間における色差ΔＥａ＊ｂ＊とＣＩＥＬＵＶ色空間における色差ΔＥｕ＊ｖ＊とを例示することができる。
【０００６】
本発明の有機エレクトロルミネッセンス装置では、前記色差導出手段にて導出される色差情報が、ＣＩＥＬＡＢ色空間における色差ΔＥａ＊ｂ＊であることが好ましい。特に、色差ΔＥａ＊ｂ＊は、色差に関する視覚実験結果とよく整合が取れるので、人間の視覚に対応した液晶表示装置の色再現性を維持できるため好ましい。
色差ΔＥａ＊ｂ＊は、ＣＩＥＬＡＢ空間における２座標間の距離である。このように色差ΔＥａ＊ｂ＊の値に基づき有機ＥＬパネルに供給する表示信号を異ならせるならば、デバイスに依存しない客観的な有機エレクトロルミネッセンスパネルに供給する表示信号を異ならせるならば、デバイスに依存しない客観的な色度の差に基づき表示信号を変更することができるので、さらに安定に表示状態を維持できるようになる。
【０００７】
本発明の有機エレクトロルミネッセンス装置では、前記色差ΔＥａ＊ｂ＊の値が既定値以上であるとき、前記画像処理手段から出力される表示信号が変更される構成とすることが好ましい。すなわち有機エレクトロルミネッセンスパネルから出力される発光光が、基準値に対して所定の色差を有する光となっているとき、有機エレクトロルミネッセンスパネルに供給される表示信号を変更する構成とするのがよい。
このような構成とすることで、表示信号の変更による色調整を客観的な判断基準に基づき実行することができ、例えば発光光の色変化が判別困難な程度の色差である場合には色調整を実行しない構成とすることができるので、係る色調整動作が有機エレクトロルミネッセンス装置の動作速度等に影響するのを防止できる。
【０００８】
本発明の有機エレクトロルミネッセンス装置では、前記ΔＥａ＊ｂ＊が３以上であるとき、前記画像処理手段から出力される表示信号を変更する構成とすることが好ましい。
このような構成とするならば、表示色の変化が顕著になる以前に表示信号の補正を行うことができ、効果的な色調整が可能になる。
【０００９】
本発明の有機エレクトロルミネッセンス装置では、前記画像処理手段から前記有機エレクトロルミネッセンスパネルに供給される前記表示信号を補正する色補正手段を具備した構成とすることが好ましい。
この構成によれば、前記色度情報、色差情報、ないし色差ΔＥａ＊ｂ＊に基づいて表示信号を補正する色補正手段を備えたことで、発光光の色度変化を適切かつ迅速に補正することが可能な有機エレクトロルミネッセンス装置を提供することができる。
【００１０】
本発明の有機エレクトロルミネッセンス装置では、前記画像処理手段が、前記画像信号を前記表示信号に変換するカラー変換テーブルを備えており、前記色補正手段が、前記カラー変換テーブルを補正可能とされた構成とすることができる。
このような構成とすることで、色差情報に基づく色補正が反映された表示信号を生成することができるとともに、一度色調整を行えば、その内容をカラー変換テーブルに保持できるので、表示の度に表示信号の補正を行うことを要せず、有機エレクトロルミネッセンス装置の動作速度低下等の不都合を生じることもない。
【００１１】
本発明の有機エレクトロルミネッセンス装置では、前記記憶手段が、前記測色手段にて得られた色度情報を保持可能とされた構成とすることが好ましい。また、本発明の有機エレクトロルミネッセンス装置では、前記色補正手段と前記記憶手段とが連動して動作可能に構成され、前記色補正手段による補正処理が実行されたときの前記色度情報が、前記色度情報の基準値として前記記憶手段に記憶される（即ち、色補正手段による補正処理に基づいて、記憶手段に保持された色度情報の基準値が更新される）構成とすることが好ましい。
先に記載のようにカラー変換テーブルの更新を行う構成を採用する場合、特にこのように記憶手段の色度情報を更新可能な構成とすることが好ましい。色調整後のカラー変換テーブルは、色差情報に基づく補正が反映されたものとなるので、係るカラー変換テーブルに対応する発光光の状態を保持しておく必要があるからである。
【００１２】
本発明の有機エレクトロルミネッセンス装置では、前記測色手段が、前記有機エレクトロルミネッセンスパネルに形成された受光素子を含むことが好ましい。
この構成によれば、簡便な構成で測色手段をパネルに実装でき、製造の容易性並びに製造コストの点で有効な構成となる。
【００１３】
本発明の有機エレクトロルミネッセンス装置では、前記有機エレクトロルミネッセンスパネルが、透光性の基板と、前記基板上に形成された発光素子とを有し、前記発光素子からの発光光を前記基板側から取り出すボトムエミッション型のパネルからなり、前記受光素子が、前記発光素子と前記基板との間に配置され、前記発光素子からの発光光を直接受光可能に構成されているものとすることができる。
この構成によれば、受光素子の形成を、発光素子を駆動する駆動素子の形成と同時に行なうことができるため、製造工程を簡素化することができる。
【００１４】
本発明の有機エレクトロルミネッセンス装置では、前記受光素子が、前記発光素子の平面領域内に配置されているものとすることができる。
この構成によれば、発光素子から出力された光は直接受光素子に入射されるため、安定した検出感度が得られるようになる。このため、例えば複数のパネルを製造した場合には、パネル間のバラツキをより抑制することが可能である。
【００１５】
本発明の有機エレクトロルミネッセンス装置では、前記測色手段が、前記有機エレクトロルミネッセンスパネルの有効表示領域の外側に設けられていることが好ましい。
測色手段は有効表示領域の内側と外側のいずれに設けてもよい。有効表示領域の内側に設ける場合には、隣り合う表示用画素の間の領域（例えばバンクの形成される領域）に設けることで、表示への影響を抑えることができる。しかし、受光素子のサイズや構成の自由度等を考慮した場合には、測色手段を有効表示領域の外側に配置するほうが有利といえる。この場合、有効表示領域の外側に表示に寄与しないダミー画素を形成し、このダミー画素の発光光を測色するようにすればよい。
【００１６】
本発明の有機エレクトロルミネッセンス装置では、前記測色手段が、前記有機エレクトロルミネッセンスパネルの発光光の色数に応じて設けられている構成とすることが好ましい。
前述のように、色度の劣化は各色について一様には進まないため、各色のそれぞれについて色度劣化の情報を検出し、補正をかけることが重要である。本構成では測色手段が色毎に設けられているので、有機エレクトロルミネッセンス装置の色調整をより高精度に行うことができる。
【００１７】
本発明の有機エレクトロルミネッセンス装置では、前記有効表示領域の外側に複数の色領域が設けられており、各色領域毎に、それぞれ同一の発光色を有する複数の発光素子と、前記複数の発光素子から出力された発光光の色度を測定する測色手段とが設けられている構成とすることができる。
このように色領域毎に測色手段を設けた場合には、測色手段へ入射する光量が増大するため、検出感度が上がり、データの比較が行い易くなる。また、複数の発光素子からの平均的な光量となるため、安定した検出感度が得られるようになり、例えば複数のパネルを製造した場合には、パネル間のバラツキをより抑制することができる。
【００１８】
本発明の有機エレクトロルミネッセンス装置の色調整方法は、有機エレクトロルミネッセンスパネルと、入力された画像信号を表示信号に変換して前記有機エレクトロルミネッセンスパネルに供給する画像処理手段と、前記有機エレクトロルミネッセンスパネルから出力された発光光の色度を測定する測色手段とを備えた有機エレクトロルミネッセンス装置の色調整方法であって、前記測色手段により測定した色度情報と、予め蓄積された前記発光光の色度情報の基準値とから色差情報を算出し、該算出結果に基づいて前記発光光の経時変化を検出するステップと、前記経時変化が検出されたときに、前記画像処理手段から前記有機エレクトロルミネッセンスパネルに対して、前記色差情報に基づく補正信号処理を施された表示信号を出力するステップとを有することを特徴とする。
この色調整方法によれば、有機エレクトロルミネッセンスパネルから出力される発光光の色度を測定することができ、その測定結果に基づいて有機エレクトロルミネッセンスパネルの表示を補正することができるので、有機エレクトロルミネッセンスパネルの経時的な色変化にも拘わらず有機エレクトロルミネッセンス装置において忠実な色再現が可能になる。
【００１９】
本発明の電子機器は、先に記載の本発明の有機エレクトロルミネッセンス装置を備えたことを特徴としている。この構成によれば、入力された画像信号を忠実に再現でき、また係る再現性を長期間に渡り良好に維持できる表示部を具備した電子機器が提供される。
【発明を実施するための最良の形態】
【００２０】
［第１実施形態］
以下、本発明の実施の形態について、図面を参照しつつ説明する。以下では、本発明の有機エレクトロルミネッセンス装置（有機ＥＬ装置）の一実施の形態として、発光素子としての有機エレクトロルミネッセンス素子を画素として基体上に配列してなるカラー有機ＥＬ装置、特に有機エレクトロルミネッセンス素子からの発光光を基板側から取り出すボトムエミッション型の有機ＥＬ装置を例示して説明する。この有機ＥＬ装置は、例えば電子機器等の表示手段として好適に用いることができるものである。
【００２１】
図１は本実施形態の有機ＥＬ装置に備えられた有機エレクトロルミネッセンスパネルの回路構成図、図２はその平面構成図、図３は有機エレクトロルミネッセンスパネルに備えられた各画素領域７１の平面構造を示す図であって、（ａ）は画素領域７１のうち主にＴＦＴ等の画素駆動部分の構成を示す図、（ｂ）は画素間を区画するバンク（仕切部材）等の構成を示す図である。また図４は、図３（ａ）のＡ−Ａ線に沿う断面構成を示す図である。
【００２２】
図１に示すように、有機エレクトロルミネッセンスパネル７０は、基板上に複数の走査線１３１と、これら走査線１３１に対して交差する方向に延びる複数の信号線１３２と、これら信号線１３２と並列に延びる複数の電源線（共通給電線）１３３とがそれぞれ配線されたもので、走査線１３１及び信号線１３２の各交点毎に画素領域７１が設けられた構成を備えている。
【００２３】
信号線１３２に対しては、シフトレジスタ、レベルシフタ、ビデオライン、及びアナログスイッチ等を備えるデータ側駆動回路７２が設けられている。一方、走査線１３１に対しては、シフトレジスタ及びレベルシフタ等を備える走査側駆動回路７３が設けられている。また、画素領域７１の各々には、走査線１３１を介して走査信号が供給されるゲート電極を含むスイッチング用ＴＦＴ（薄膜トランジスタ）１４２と、このスイッチング用ＴＦＴ（薄膜トランジスタ）１４２を介して信号線１３２から供給される画像信号を保持する保持容量ｃａｐと、保持容量ｃａｐによって保持された画像信号が供給されるゲート電極を含む駆動用ＴＦＴ１４３と、この駆動用ＴＦＴ１４３を介して電源線１３３に電気的に接続したときに電源線１３３から駆動電流が流れ込む画素電極１４１と、この画素電極１４１と共通電極１５４との間に挟み込まれる有機機能層１４０とが設けられている。そして、前記画素電極１４１と共通電極１５４と有機機能層１４０とによって構成される素子が発光素子である。
【００２４】
このような構成のもとに、走査線１３１が駆動されてスイッチング用ＴＦＴ１４２がオンとなると、そのときの信号線１３２の電位が保持容量ｃａｐに保持され、該保持容量ｃａｐの状態に応じて、駆動用ＴＦＴ１４３のオン・オフ状態が決まる。そして、駆動用ＴＦＴ１４３のチャネルを介して電源線１３３から画素電極１４１に電流が流れ、さらに有機機能層１４０を通じて共通電極１５４に電流が流れることにより、有機機能層１４０は、これを流れる電流量に応じて発光するようになる。
【００２５】
図１に示す回路構成を具備した有機エレクトロルミネッセンスパネル７０は、図２に示すように、電気絶縁性および透光性を有する基板２０１上に、スイッチング用ＴＦＴ（図示せず）に接続された画素電極が基板２０１上にマトリクス状に配置されてなる平面視略矩形の画素部３（図２中の一点鎖線枠内）を具備して構成される。画素部３は、中央部分の表示領域４（画素部３内の一点鎖線枠内）と、表示領域４の周囲に配置されたダミー領域５とに区画されている。表示領域４はマトリクス状に配置された画素７１によって形成される領域であり、有効表示領域若しくは機能領域ともいう。表示領域４には、それぞれ画素電極を有する３色の表示ドット（画素７１）Ｒ、Ｇ、Ｂが、紙面の縦方向および横方向にそれぞれ離間してマトリクス状に配置されている。表示領域４の外側には非表示領域が形成されており、この非表示領域には、表示領域４に隣接するダミー領域５が形成されている。図２において表示領域４の左右には走査線駆動回路７３が配置されており、図２において表示領域４の上下にはデータ線駆動回路７２が配置されている。これら走査線駆動回路７３、データ線駆動回路７２はダミー領域５の周縁部に配置されている。
【００２６】
さらに、図２におけるデータ線駆動回路７２の上側には、検査回路９０が配設されている。この検査回路９０は、有機エレクトロルミネッセンスパネル７０の作動状況を検査する回路であって、例えば検査結果を外部に出力する検査情報出力手段（図示せず）を備え、製造途中や出荷時の表示装置の品質、欠陥を検査できるようになっている。なお、この検査回路９０も、ダミー領域５の下層側に配置されている。また、基板２０１には、フレキシブルプリント基板等からなる駆動用外部基板１０１が接続され、駆動用外部基板１０１上に外部駆動回路１００が搭載されている。
【００２７】
次に、図３（ａ）に示す画素領域７１の平面構造をみると、画素領域７１は、平面視略矩形状の画素電極１４１の四辺が、信号線１３２、電源線１３３、走査線１３１及び図示しない他の画素電極用の走査線によって囲まれた配置となっている。また、図４に示す画素領域７１の断面構造をみると、基板（基体）Ｐ上に駆動用ＴＦＴ１４３が設けられており、駆動用ＴＦＴ１４３を覆って形成された複数の絶縁膜を介した基板Ｐ上に、発光素子２００が形成されている。発光素子２００は、基板Ｐ上に立設されたバンク（仕切部材）１５０に囲まれる領域内に設けられた有機機能層１４０を主体として構成され、この有機機能層１４０を、画素電極１４１と共通電極１５４との間に挟持した構成を備える。ここで、図３（ｂ）に示す平面構造をみると、バンク１５０は、画素電極１４１の形成領域に対応する平面視略矩形状の区画領域１５１（開口部）を有しており、この区画領域１５１に先の有機機能層１４０が形成されるようになっている。
【００２８】
図４に示すように、駆動用ＴＦＴ１４３は、半導体膜２１０に形成されたソース領域１４３ａ、ドレイン領域１４３ｂ、及びチャネル領域１４３ｃと、半導体層表面に形成されたゲート絶縁膜２２０を介してチャネル領域１４３ｃに対向するゲート電極１４３Ａとを主体として構成されている。半導体膜２１０及びゲート絶縁膜２２０上には、これらを覆う形にて第１層間絶縁膜２３０が形成されており、この第１層間絶縁膜２３０を貫通して半導体膜２１０に達するコンタクトホール２３２，２３４内に、それぞれドレイン電極２３６、ソース電極２３８が埋設され、各々の電極はドレイン領域１４３ｂ、ソース領域１４３ａに導電接続されている。第１層間絶縁膜２３０には、平坦化絶縁膜（第２層間絶縁膜）２４０が形成されており、この第２層間絶縁膜２４０に貫設されたコンタクトホールに画素電極１４１の一部が埋設されている。そして画素電極１４１とドレイン電極２３６とが導電接続されることで、駆動用ＴＦＴ１４３と画素電極１４１とが電気的に接続されている。そして、この画素電極１４１の周縁部に一部乗り上げるようにして無機絶縁材料からなる無機バンク１４９が形成され、この無機バンク１４９上に、有機材料からなるバンク１５０が形成されている。
【００２９】
発光素子２００を構成する有機機能層１４０には、正孔輸送層（電荷輸送層）１４０Ａと、発光層１４０Ｂとが含まれている。正孔輸送層１４０Ａは、発光層１４０Ｂへの電荷輸送性を高め、発光効率を高めることを目的として設けられる層であり、その形成材料としては、ベンジジン誘導体、スチリルアミン誘導体、トリフェニルメタン誘導体、トリフェニル（またはアリール）アミン誘導体、およびヒドラゾン誘導体などの低分子化合物、ポリアニリン、ポリチオフェン、ポリビニルカルバゾール、ポリ（３，４−エチレンジオキシチオフェン）とポリスチレンスルホン酸との混合物（ＰＥＤＯＴ／ＰＳＳ；Ｐｏｌｙｅｔｈｙｌｅｎｄｉｏｘｙｔｈｉｏｐｈｅｎｅ／  Ｐｏｌｙｓｔｙｒｅｎｅｓｕｌｆｏｎｅｔｅなどの高分子化合物が挙げられる。これらの中でも、α−ＮＰＤ（α−ナフチルフェニルジアミン）はよく用いられる化合物であり、特に好ましい。
【００３０】
発光素子２００の主たる発光部を成す発光層１４０Ｂの形成材料としては、蛍光あるいは燐光を発光することが可能な公知の発光材料を用いることができる。そして本実施形態の場合、この発光層１４０Ｂが、液滴吐出方式等の液相法により形成された液相形成層となっている。発光層１４０Ｂの形成材料としては、（ポリ）フルオレン誘導体（ＰＦ）、（ポリ）パラフェニレンビニレン誘導体（ＰＰＶ）、ポリフェニレン誘導体（ＰＰ）、ポリパラフェニレン誘導体（ＰＰＰ）、ポリビニルカルバゾール（ＰＶＫ）、ポリチオフェン誘導体、ポリメチルフェニルシラン（ＰＭＰＳ）などのポリシラン系などが好適に用いられる。また、これらの高分子材料に、ペリレン系色素、クマリン系色素、ローダミン系色素などの高分子系材料や、ルブレン、ペリレン、９，１０−ジフェニルアントラセン、テトラフェニルブタジエン、ナイルレッド、クマリン６、キナクリドン等の低分子材料をドープして用いることもできる。このような有機化合物のうち赤色に発光するものとしては、例えば、ポリビニレンスチレン誘導体のベンゼン環にアルキルまたはアルコキシ置換基を有する高分子化合物や、ポリビニレンスチレン誘導体のビニレン基にシアノ基を有する高分子化合物などを挙げることができる。緑色に発光する有機化合物としては、例えば、アルキルまたはアルコキシまたはアリール誘導体置換基をベンゼン環に導入したポリビニレンスチレン誘導体などを挙げることができる。青色に発光する有機化合物としては、例えば、ジアルキルフルオレンとアントラセンの共重合体のようなポリフルオレン誘導体などを挙げることができる。
尚、上述した高分子材料に代えて、従来公知の低分子材料を用いることもできる。また、必要に応じて発光層１４０Ｂ上に、フッ化リチウムとカルシウムの積層膜等の電子注入層を設けてもよい。
【００３１】
基板Ｐとしては、発光素子２００から発した光がロスなく透過できるように、ガラス等の透明性の高い基板が用いられる。同様に、画素電極１４１には、ＩＴＯ（インジウム錫酸化物）等の透光性導電材料により形成される。共通電極１５４は、発光層１４０Ｂとバンク１５０の上面、さらにはバンク１５０の側面部を形成する壁面を覆った状態で基板Ｐ上に形成される。この共通電極１５４を形成するための材料としては、Ａｌ（アルミニウム）等の高反射率の金属材料が好適である。共通電極１５４の上層側には、陰極保護層を形成してもよい。係る陰極保護層を設けることで、製造プロセス時に共通電極１５４が腐食されるのを防止する効果が得られる。この陰極保護層は、無機化合物、例えば、シリコン酸化物、シリコン窒化物、シリコン窒酸化物等のシリコン化合物により形成できる。共通電極１５４を無機化合物からなる陰極保護層で覆うことにより、無機酸化物からなる陰極への酸素等の侵入を良好に防止することができる。
【００３２】
次に、表示領域４とその周縁部の構成について説明する。
図５は、表示領域４とその周縁部であるダミー領域５の平面構造を示す模式図であり、図６は、図５のＡ−Ａ′断面を示す模式図である。これらの図においては、ＴＦＴ等の素子構造や、走査線，信号線，電源線等の配線構造については省略若しくは簡略化して示している。
【００３３】
図５に示すように、画素部３には、矩形の表示領域４と、該表示領域４に隣接するダミー領域５とが設けられている。表示領域４には、赤色画素（Ｒ画素７１Ｒ）からなるＲ画素列と、緑色画素（Ｇ画素７１Ｇ）からなるＧ画素列と、青色画素（Ｂ画素７１Ｂ）からなるＢ画素列とが、それぞれ表示領域４の短辺方向（図示上下方向）にストライプ状に設けられている。これらＲ画素列，Ｇ画素列，Ｂ画素列は、表示領域４の長辺方向（図示左右方向）に沿って周期的に配列されている。ダミー領域５には、Ｒ，Ｇ，Ｂの各画素列に対応して、赤色ダミー画素（Ｒダミー画素７５Ｒ），緑色ダミー画素（Ｇダミー画素７５Ｇ），青色ダミー画素（Ｂダミー画素７５Ｂ）がそれぞれ配置されている。これらのダミー画素は、対応する色の画素列に連続するように表示領域４の縁辺近傍に配置されている。また、ダミー画素７５Ｒ，７５Ｇ，７５Ｂは、表示領域４の上辺側と下辺側にそれぞれ設けられており、これらの縁辺に沿って一列に配置されている。ダミー画素７５Ｒ，７５Ｇ，７５Ｂは、表示領域４内の画素７１Ｒ，７１Ｇ，７１Ｂと同様の構成を有しており、外部制御によって個別に若しくは色毎に一括して点灯されるようになっている。
【００３４】
ダミー画素７５Ｒ，７５Ｇ，７５Ｂの外側には、色センサ１８０Ｒ，１８０Ｇ，１８０Ｂが設けられている。前記色センサ１８０Ｒ，１８０Ｇ，１８０Ｂは、それぞれＲダミー画素７５Ｒ，Ｇダミー画素７５Ｇ，Ｂダミー画素７５Ｂに対応して１つずつ設けられており、対応するダミー画素からの光を検出するようになっている。色センサ１８０Ｒ，１８０Ｇ，１８０Ｂは、フォトダイオードやフォトトランジスタ等の受光素子を含み、表示領域４の駆動素子や駆動回路を形成する際に同時に形成される。各色センサ１８０Ｒ，１８０Ｇ，１８０Ｂは、それぞれ対応するダミー画素７５Ｒ，７５Ｇ，７５Ｂから入射される光の測色を行なう測色手段として機能し、有機エレクトロルミネッセンスパネル７０は、色センサ１８０Ｒ，１８０Ｇ，１８０Ｂから出力される色度情報に基づいて、表示の色調整が可能な構成となっている。
【００３５】
次に、図６に示す断面構造をみると、基板Ｐには、画素電極１４１と有機機能層１４０と共通電極１５４とを備えた発光素子２００がマトリクス状に配置されている。これらの発光素子２００には、表示用画素７１としての発光素子２００と、ダミー画素７５としての発光素子２００とが含まれる。これらの発光素子２００と基板Ｐとの間には回路層２５０が備えられ、この回路層２５０に、前述の走査線１３１、信号線１３２、電源線１３３、保持容量ｃａｐ、スイッチング用の薄膜トランジスタ１４２、駆動用の薄膜トランジスタ１４３等が備えられている。また、表示領域４の図示左右両側には、ダミー画素７５となる発光素子２００の近傍に色センサ１８０が配置されており、更にこの色センサ１８０の外側には、前述のデータ側駆動回路７２，７２が配置されている。色センサ１８０とデータ側駆動回路７２はダミー領域５の回路層２５０内に設けられている。画素の横に受光素子を配置することの利点は、有効画素領域と同様の画素構造となるため、発光層の膜厚が有効画素と同一にできるという利点がある。
マトリクス状に配置された発光素子２００を含む領域の全面には、これらを覆って接着層１７１と封止基板１７０とが積層されている。この接着層１７１と封止基板１７０とにより、封止構造を形成している。
【００３６】
次に、有機ＥＬ装置の制御回路について説明する。
図７は、有機ＥＬ装置１の電気的構成を示すブロック図であり、図８は、図７に示す画像処理部３１０の電気的構成を示すブロック図である。図７に示すように、有機ＥＬ装置１は、有機エレクトロルミネッセンスパネル７０と、制御部３００と、画像処理部（画像処理手段）３１０とを主体としてなり、さらに色度検出部３２０、色差演算部（色差導出手段）３３０、及びメモリ（記憶手段）３４０を備えた構成となっている。
【００３７】
有機エレクトロルミネッセンスパネル７０は、先に記載したように、複数の走査線１３１，複数のデータ線１３２及び複数の電源線１３３と、それらの交点に対応して設けられた複数の画素７１と、これらの画素７１に接続された駆動回路３５０と、色センサ１８０とを備えている。駆動回路３５０は、走査線１３１に接続された走査側駆動回路７３や、データ線１３２に接続されたデータ側駆動回路７２、電源線に接続された電源線駆動回路等を含むものである。
【００３８】
制御部３００は、本実施形態の有機ＥＬ装置におけるタイミング信号生成手段として機能し、図示しない上位装置から供給される垂直走査信号Ｖｓｙｎｃ、水平走査信号Ｈｓｙｎｃ、ドットクロック信号ｄＣＬＫ及びクロックＣＬＫ等に従って、各種のタイミング信号やクロック信号などを生成し、有機エレクトロルミネッセンスパネル７０の駆動回路３５０に対し出力する。
【００３９】
画像処理部３１０は、図示しない上位装置から入力される画像信号ＤＡＴＡを、有機エレクトロルミネッセンスパネル７０で適切に表示できる形態の表示信号Ｄｓに変換して出力するものであり、図８に示すように、アナログ形式の画像信号をデジタル信号に変換するＡ／Ｄ変換部３１１と、カラー変換テーブル３１４をＲＧＢの各画像信号に対し適用して所定の色変換を行う色変換部３１２と、デジタル信号をアナログ表示信号Ｄｓに変換して出力するＤ／Ａ変換部３１３と、色差演算部３３０から出力される色差情報に基づきカラー変換テーブル３１４を補正するテーブル生成部（色補正手段）３１５とを備えて構成されている。
【００４０】
カラー変換テーブル３１４は、入力値と出力値との対応表を保持したＬＵＴ（ルックアップテーブル）であり、本実施形態の場合、有機エレクトロルミネッセンスパネル７０の入出力プロファイル（パネル固有の入出力特性）を保持したものである。そして色変換部３１２は、上記カラー変換テーブル３１４に基づき、入力されたＲＧＢデジタル信号（画像信号）を液晶パネル出力用のＲＧＢデジタル信号（表示信号）に変換する。また場合によっては、色変換部３１２に、画像信号に対してガンマ補正を行うためのガンマ補正テーブルを備えていてもよい。テーブル生成部３１５は、色差演算部３３０から入力される色差情報に基づいて、カラー変換テーブル３１４を更新するものである。
【００４１】
色度検出部３２０は、色センサ１８０（図５に示す色センサ１８０Ｒ、１８０Ｇ、１８０Ｂ）を駆動してそれらの出力を読み出し、色差演算部３３０に色度情報を出力する。色差演算部３３０は、入力された前記色度情報と、メモリ３４０に予め保持されている色度情報とを比較して、照明光の経時的な色変化を検出する。
【００４２】
以下、図９に示すフローチャートを参照して、本実施形態に係る有機ＥＬ装置１の色調整方法につき説明する。
本発明に係る方法により有機ＥＬ装置の色調整を行うには、まず、有機エレクトロルミネッセンスパネル７０に設けられた色センサ１８０により、ダミー画素７５から出力される発光光の測色を行う（ステップＳ１）。この測色は、例えばパネル点灯時のＯＮシーケンスにおいて、ダミー画素７５のみを点灯させることにより行なうことができる。そして色度検出部３２０に読み出された色度情報は、必要に応じて行われる色空間の変換処理を経て色差演算部３３０に出力される。本実施形態の場合、色センサ１８０から出力されるデバイス依存の色信号（ＲＧＢ値）は、デバイス非依存の色信号（三刺激値ＸＹＺ）に変換され、色差演算部３３０へ色度情報として出力される。
【００４３】
上記ＲＧＢ値からＸＹＺ値への色信号の変換に際しては、下記（数１）に示すような線形変換などが利用できる。（数１）において、Ｍは３×３のＲＧＢ→ＸＹＺ変換行列であり、色センサ１８０の色特性を示している。また（α，β，γ）は補正項である。上記色信号の変換機能は、色度検出部３２０に（数１）の計算を実行する演算回路として実装してもよく、色度検出部３２０から参照可能なＬＵＴ（ルックアップテーブル）を用意し、このＬＵＴを参照しつつ補間計算を行う演算回路として実装してもよい。またこの演算回路は、色度演算部３３０に実装してもよい。
【００４４】
【数１】
2006098638.tif 000003
【００４５】
次に、色差演算部３３０は、色度検出部３２０から入力された色度情報と、メモリ（記憶手段）３４０に保持された色度情報とに基づく演算処理により色差ΔＥａ＊ｂ＊（色差情報）を算出し、画像処理部３１０のテーブル生成部３１５に出力する（ステップＳ２）。具体的には、まず、下記（数２）を用いて色度検出部３２０から入力された色信号（Ｘ，Ｙ，Ｚ）をＣＩＥＬＡＢ色空間に変換する。なお、（数２）中（Ｘｎ，Ｙｎ，Ｚｎ）は白色光のＸ，Ｙ，Ｚを表しており、Ｙｎ＝１００としてＸｎ，Ｚｎを正規化した値である。
【００４６】
そして、予めメモリ２４０に保持されている値（Ｌ＊１，ａ＊１，ｂ＊１）と、（数２）に基づき得られた値（Ｌ＊２，ａ＊２，ｂ＊２）とを用いて、下記（数３）に示す式により色差ΔＥａ＊ｂ＊を求める。メモリ３４０に保持されている値（Ｌ＊１，ａ＊１，ｂ＊１）は、有機ＥＬ装置１の製造時に、色センサ１８０により有機エレクトロルミネッセンスパネル７０の発光光（即ち、ダミー画素７５からの発光光）を測定して得た色度情報、あるいはそれ以降に上記手順の測色を行って得た色度情報である。
【００４７】
【数２】
2006098638.tif 000004
【００４８】
【数３】
2006098638.tif 000005
【００４９】
次に、得られた色差ΔＥａ＊ｂ＊の値に基づき、画像処理部３１０における色補正動作の実行が選択される（ステップＳ３）。すなわち、色差ΔＥａ＊ｂ＊が既定値（例えば３）以上の値であるとき、色差演算部３３０から画像処理部２１０に対してカラー変換テーブル３１４を更新するための色差情報（ΔＥａ＊ｂ＊）が出力され、画像処理部３１０にてカラー変換テーブル３１４が更新される（ステップＳ４）。
【００５０】
また、上記色差演算部３３０は、色度検出部３２０から入力される色度情報をメモリ３４０に記録する機能を有しており、上記色度情報の出力が選択された場合に、メモリ３４０に保持されている色度情報を、測色して得られた色度情報（Ｌ＊２，ａ＊２，ｂ＊２）に更新する。色差ΔＥａ＊ｂ＊が既定値未満であれば、照明光の色ずれは許容範囲内にあると判断し、カラー変換テーブル３１４の更新を行わず処理を終了する（エンド）。
【００５１】
上記色差ΔＥａ＊ｂ＊に係る既定値は３程度とすることが好ましい。このような範囲とすることで、基準値に対する照明光の色ずれが、人間に認識できる程度となる値を色調整の判断基準値とすることができ、効率的に色調整を行うことが可能になる。
なお、色差ΔＥａ＊ｂ＊が２．５以下であれば、離間して観察した際に比較に係る２つの色は、ほぼ同一の色と認めることができるとされている（下記参考文献参照）ので、色調整の判断基準値としての上記既定値は２．５より大きくすることが好ましい。また、色差ΔＥａ＊ｂ＊が３．２以上では色の差異が明確になる（ΔＥａ＊ｂ＊が３．２〜６．５の範囲が印象レベルで同色に扱える範囲）ので、上記既定値を３．２未満の範囲とすれば、表示色の変化が顕著に現れる以前に色調整を行うことができ、効果的である。
【００５２】
参考文献：「新編  色彩科学ハンドブック第２版」  日本色彩学会編  東京大学出版会
【００５３】
色差演算部３３０から出力された色差情報は、図８に示すように、画像処理部３１０のテーブル生成部３１５に入力される。テーブル生成部３１５は、入力された色差情報に基づき、カラー変換テーブル３１４を更新する。このとき、テーブル生成部３１５によって新たにカラー変換テーブルを生成して置換してもよいし、カラー変換テーブル３１４の一部を補正値で上書きしてもよい。そして、色変換部３１２において、上記更新されたカラー変換テーブル３１４を適用することで、有機エレクトロルミネッセンスパネル７０に該有機エレクトロルミネッセンスパネル７０の発光光の色変化を補正できる表示信号Ｄｓが供給される。
【００５４】
このように本実施形態の有機ＥＬ装置１によれば、有機エレクトロルミネッセンスパネル７０の発光光の経時的な色変化を補正することができ、入力画像の色を忠実に再現でき、かつその再現性を長期間に渡り安定に維持することがことができる。
【００５５】
［電子機器］
以下、本発明を携帯電話機に適用した実施形態につき、図面に沿って具体的に説明する。本発明に係る携帯電話機は、図１０に示すように、先の実施形態の有機ＥＬ装置からなる表示部１０１２と、複数の操作キーが配列された操作部１０１３とを備えた本体部１００１の下端部に、ヒンジ機構を介して蓋部１００２が連結された構成を備えており、前記蓋部１００２は、本体部１００１に対して開閉自在とされている。
【００５６】
本体部１００１と蓋部１００２との連結部近傍には、蓋部１００２の開／閉状態を検知する蓋部センサが設けられており、本体部１００１の頂上部には、本体部１００１に対して進退自在のアンテナ１０１９が設けられている。表示部１０１２の上方に受話部（スピーカ）１０２０が設けられ、蓋部１００２の先端部に送話部（マイクロフォン）１０１４が設けられており、蓋部１００２を開いた状態で通話が可能に構成されている。
【００５７】
図１１は、上記携帯電話機１０００の電気的構成を示す図である。図示のように、送受分波器（デュープレクサ）１０１７に受信回路１０１８と送信回路１０１６とが並列接続されている。通話時にはアンテナ１０１９によって受信した信号を、送受分波器１０１７で受信回路１０１８側へ伝送する。そして、受信回路１０１８で復調した受話信号が制御回路１０１０を経て受話部１０２０に供給され放音される。また、送話部１０１４に入力された音声は、制御回路１０１０から送話信号として送信回路１０１６に伝送され、変調される。変調された送話信号は、送受分波器１０１７を介してアンテナ１０１９から送信される。制御部１０１０には、メモリ１０１１、表示部１０１２、操作部１０１３、送話部１０１４、蓋部センサ１０１５、送信回路１０１６、受信回路１０１８、受話部１０２０が接続されている。
【００５８】
上記構成を具備した本実施形態の携帯電話機は、先の実施形態の有機ＥＬ装置を備えているので、有機エレクトロルミネッセンスパネルが経時的に劣化した場合にも入力画像の忠実な再現が可能になっており、長期間に渡り高画質の表示を得られるようになっている。また、実施形態に係る有機ＥＬ装置に備えられた色調整機能は、手動又は自動で動作させることができるので、例えば、携帯電話機に通常備えられているタイマ機能と連動させて制御部１０１０から色調整命令を表示部１０１２に送信することもでき、操作部１０１３からのキー入力により制御部１０１０から前記色調整命令を送信する構成とすることもできる。あるいは、上記色調整命令を、蓋部センサ１０１５から入力される蓋部の開閉信号や受信回路１０１８から入力される着信信号に連動させることも可能である。
【００５９】
なお、本発明に係る有機ＥＬ装置は、上記携帯電話機に限らず、電子ブック、パーソナルコンピュータ、デジタルスチルカメラ、ビューファインダ型あるいはモニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等、種々の電子機器の表示部として好適に用いることができるものである。
【００６０】
以上、添付図面を参照しながら本発明に係る好適な実施の形態例について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。例えば、前記実施形態では、色センサ１８０Ｒ，１８０Ｇ，１８０Ｂを表示領域４の上辺及び下辺に沿って配置しているが、色センサ１８０Ｒ、１８０Ｇ、１８０Ｂの配置は図示の形態に限定されない。例えば表示領域４の上辺のみ若しくは下辺のみに配置してもよいし、表示領域４の４つの縁辺に沿って配置してもよい。
【００６１】
また前記実施形態では、Ｒダミー画素７５Ｒ，Ｇダミー画素７５Ｇ，Ｂダミー画素７５ＢをそれぞれＲ画素列，Ｇ画素列，Ｂ画素列に対応させて１列ずつ形成したが、これらの配置は必ずしも対応している必要はない。例えば、ダミー領域内に複数の色領域が設けられており、各色領域毎に、それぞれ対応する発光色を有する複数の発光素子（ダミー画素）と、前記複数の発光素子から出力された発光光の色度を測定する測色手段とが設けられている構成としてもよい。図１２は、Ｒ，Ｇ，Ｂのダミー画素７５Ｒ，７５Ｇ，７５Ｂをそれぞれ２列ずつセットで形成し、それぞれのダミー画素のセットに対して１つずつ色センサ１８０を設けた例を示している。この場合、セットで形成されたダミー画素の平面領域（２列ずつの領域）がそれぞれ色領域を構成する。このように色領域毎に色センサを設けた場合には、色センサへ入射する光量が増大するため、検出感度が上がり、データの比較が行い易くなる。また、複数のダミー画素からの平均的な光量となるため、安定した検出感度が得られるようになり、例えば複数のパネルを製造した場合には、パネル間のバラツキをより抑制することができる。
【００６２】
また前記実施形態では、色センサ１８０をダミー画素７５の横に配置したが、色センサ１８０の配置は必ずしもこれに限定されない。例えば、色センサ１８０をダミー画素７５の発光素子２００の平面領域内に配置することも可能である。ダミー画素自体は表示に寄与するものではないので、このように構成しても表示には影響しない。むしろ、発光素子２００から出力された光が直接色センサ１８０に入射されるため、安定した検出感度が得られるようになる。
【００６３】
また前記実施形態では、色センサ１８０をダミー領域５に設け、ダミー画素７５の発光光を測色するものとしたが、本発明は必ずしもこれに限定されない。例えば、図１３のように、色センサ１８０を表示領域４内のそれぞれの表示用画素７１の横（たとえば、バンプ領域の下側であって、隣り合う表示用画素の間となる位置）に設け、画素毎に発光光の測色を行なうようにしてもよい。この場合、パネル全面にわたったデータを収集できるため、より平均化された補正データを作成することができる。
【図面の簡単な説明】
【００６４】
【図１】有機エレクトロルミネッセンス装置に備えられる有機エレクトロルミネッセンスパネルの等価回路図。
【図２】有機ＥＬパネルの全体構成を示す平面模式図。
【図３】有機エレクトロルミネッセンスパネルの１画素の構成を示す平面模式図。
【図４】図３のＡ−Ａ断面を示す模式図。
【図５】有機エレクトロルミネッセンスパネルの画素部の構成を示す平面模式図。
【図６】図５のＢ―Ｂ断面を示す模式図。
【図７】有機エレクトロルミネッセンス装置の電気的構成を示すブロック図。
【図８】有機エレクトロルミネッセンス装置に備えられる画像処理部の電気的構成を示すブロック図。
【図９】有機エレクトロルミネッセンス装置の色調整方法の一例を示すフローチャート。
【図１０】電子機器の一例である携帯電話機を示す斜視図。
【図１１】携帯電話機の電気的構成を示す図。
【図１２】有機エレクトロルミネッセンスパネルの画素部の他の構成例を示す平面模式図。
【図１３】有機エレクトロルミネッセンスパネルの他の構成例を示す図であって、（ａ）はその有効表示領域の平面構造を示す平面模式図、（ｂ）は（ａ）のＦ−Ｆ断面を示す断面模式図。
【符号の説明】
【００６５】
１…有機ＥＬ装置、７０…有機エレクトロルミネッセンスパネル、１８０…色センサ（測色手段）、２００…発光素子、３１０…画像処理部（画像処理手段）、３１４…カラー変換テーブル、３１５…テーブル生成部（色補正手段）、３４０…メモリ（記憶手段）、３３０…色差演算部（色差導出手段）、ＤＡＴＡ…画像信号、Ｄｓ…表示信号
【図１】
2006098638.tif 000006
【図２】
2006098638.tif 000007
【図３】
2006098638.tif 000008
【図４】
2006098638.tif 000009
【図５】
2006098638.tif 000010
【図６】
2006098638.tif 000011
【図７】
2006098638.tif 000012
【図８】
2006098638.tif 000013
【図９】
2006098638.tif 000014
【図１０】
2006098638.tif 000015
【図１１】
2006098638.tif 000016
【図１２】
2006098638.tif 000017
【図１３】
2006098638.tif 000018